(57)【要約】      （修正有）【課題】構造が簡単で壊れ難く、組み立て、分解が簡単な眼鏡を提供する。【解決手段】フロントフレーム２と、眼鏡をかける場合に使用者の耳に設けて使用するテンプル３と、該フロントフレーム２とテンプル３との間に設けて接続する接続部材１とを具えてなる。該接続部材１は、接続部材１上の長手方向に垂直な方向に平行な２つの突起４を形成し、該突起４上には接続孔５が形成される。また、該フロントフレーム２は、長手方向両端縁部の接続部材１の突起４が対応する位置にそれぞれ２つの貫通孔６を形成し、該突起４を貫通孔６に挿入して接続する。テンプル３は、一端に端縁部から長手方向に向けて形成された細長い形状の切り欠き溝を形成し、該切り欠き溝の開口の両端にはそれぞれ接続部７が形成される。該接続部７は、接続部材１の突起４に形成された接続孔５に挿入され、テンプル３とフロントフレーム２とを一体に接続するために供する。【選択図】図６
0003132134.tif 000002
【実用新案登録請求の範囲】
【請求項１】
レンズを設けてなるフロントフレームと、該眼鏡を使用者が耳に掛けるために使用するテンプルと、を含んでなり、該フロントフレームとテンプルとの間が接続部材を介して接続されることを特徴とする眼鏡。
【請求項２】
接続部材の長手方向に垂直な方向に平行に設けられた２つの突起と、該突起に形成された接続孔と、該フロントフレーム上の長手方向両側であって、突起部に対応する位置に貫通孔が形成され、突起を貫通孔に挿入して接続し、テンプルの一端の長手方向に向けて形成された切り欠き溝の開口には両側に接続部が設けられ、該接続部が接続部材の突起の接続孔に挿入されてテンプルとフロントフレームとを一体に接続することを特徴とする請求項１に記載の眼鏡。
【考案の詳細な説明】
【技術分野】
【０００１】
この考案は、眼鏡に関し、特にレンズを設けて目の屈折異常を矯正したり、目を保護する眼鏡に関する。
【背景技術】
【０００２】
従来の眼鏡はフレームの接続部分が溶接されるとともに、螺接されている。螺子を介してテンプルとフロントフレームとを活動自在に接続して眼鏡のフレームを形成する。
【０００３】
しかしながら、前述の接続方法は、溶接により位置が偏り接続部分の消耗を招くことや、眼鏡をかけている時に部材と部材の接続が外れ易いなどの問題が発生するため、加工にかかるコストが高くなる。また、眼鏡を使用する場合の実用性に欠け、修理し難い。さらに、フレームの１部が壊れた場合、フレーム全てを交換しなければならないため、コストが高くなる。
【考案の開示】
【考案が解決しようとする課題】
【０００４】
この考案は、構造が簡単で壊れ難く、組み立て、分解が簡単な眼鏡を提供することを課題とする。
【課題を解決するための手段】
【０００５】
そこで、本考案者は従来の技術に見られる欠点に鑑みて鋭意研究を重ねた結果、レンズを設けてなるフロントフレームと、該眼鏡を使用者が耳に掛けるために使用するテンプルと、を含んでなり、該フロントフレームとテンプルとの間が接続部材を介して接続される眼鏡の構造によって課題を解決できる点に着眼し、かかる知見に基づいて本考案を完成させた。
【０００６】
以下、この考案について具体的に説明する。
請求項１に記載の眼鏡は、レンズを設けてなるフロントフレームと、該眼鏡を使用者が耳に掛けるために使用するテンプルと、を含んでなり、該フロントフレームとテンプルとの間が接続部材を介して接続される。
【０００７】
請求項２に記載の眼鏡は、請求項１における接続部材の長手方向に垂直な方向に平行に設けられた２つの突起と、該突起に形成された接続孔と、該フロントフレーム上の長手方向両側であって、突起部に対応する位置に貫通孔が形成され、突起を貫通孔に挿入して接続し、テンプルの一端の長手方向に向けて形成された切り欠き溝の開口には両側に接続部が設けられ、該接続部が接続部材の突起の接続孔に挿入されてテンプルとフロントフレームとを一体に接続する。
【考案の効果】
【０００８】
この考案による眼鏡のフレームは、コストを抑え、容易に分解でき、実用的で、使用寿命が長いという効果を有する。
【考案を実施するための最良の形態】
【０００９】
この考案は、構造が簡単で壊れ難く、組み立て、分解が簡単な眼鏡であって、レンズを設けてなるフロントフレームと、該眼鏡を使用者が耳に掛けるために使用するテンプルと、を含んでなり、該フロントフレームとテンプルとの間が接続部材を介して接続される構造と特徴を詳述するために具体的な実施例を挙げ、図示を参照にして以下に説明する。
【実施例】
【００１０】
この考案はフロントフレーム２と、眼鏡をかける場合に使用者の耳に設けて使用するテンプル３と、該フロントフレーム２とテンプル３との間に設けて接続する接続部材１とを具えてなる。
【００１１】
該接続部材１は、図１、図２、図３に開示するように、接続部材１上の長手方向に垂直な方向に平行な２つの突起４を形成し、該突起４上には接続孔５が形成される。また、該フロントフレーム２は、図４に開示するように、長手方向両端縁部の接続部材１の突起４が対応する位置にそれぞれ２つの貫通孔６を形成し、該突起４を貫通孔６に挿入して接続する。
【００１２】
テンプル３は図５に開示するように、一端に端縁部から長手方向に向けて形成された細長い形状の切り欠き溝を形成し、該切り欠き溝の開口の両端にはそれぞれ接続部７が形成される。該接続部７は、接続部材１の突起４に形成された接続孔５に挿入され、テンプル３とフロントフレーム２とを一体に接続するために供する。
【００１３】
図６に開示するように、フレームを組み立てる場合、接続部材１の突起４をフロントフレーム２に形成された接続孔６に挿入して挿接し、テンプル３の開口の両側に形成された接続部７を弾力を利用して突起４の接続孔５に嵌合して回動自在に接続する。
【００１４】
フレームを分解する場合、テンプル３の開口の両端に形成された接続部７を押し圧して突起４の接続孔５から取り外し、接続部材１をフロントフレーム２に形成された貫通孔６から取り外して分解することができるため、組み立て、分解を簡単に行うことができる。
【００１５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００１６】
【図１】この考案の眼鏡フレームの接続部材を示した平面図である。
【図２】この考案の眼鏡フレームの接続部材を図３に示したＡの方向から見た状態を示した断面図である。
【図３】この考案の眼鏡フレームの接続部材をＢの方向から見た状態を示した断面図である。
【図４】この考案の眼鏡フレームのフレームを示した平面図である。
【図５】この考案の眼鏡フレームの眼鏡ピンを示した平面図である。
【図６】この考案の眼鏡フレームの組み立てを示した説明図である。
【符号の説明】
【００１７】
１ 接続部材
２ フロントフレーム
３ テンプル
４ 突起
５ 接続孔
６ 貫通孔
７ 接続部
【図１】
0003132134.tif 000003
【図２】
0003132134.tif 000004
【図３】
0003132134.tif 000005
【図４】
0003132134.tif 000006
【図５】
0003132134.tif 000007
【図６】
0003132134.tif 000008